(57)【要約】      （修正有）【課題】フィルム包装等を施した場合でも、容器の内容物（食品）がフィルム包装材に直接接触するのを回避可能な食品用容器を提供する。【解決手段】紙製シートを容器形状に形成してなる食品用容器は、底壁１と、底壁の周縁から起立した側壁２とを備えている。側壁２の四隅を占める四つのコーナー側壁部３１には、それぞれヒダ部３２が形成されている。四つのヒダ部３２の各々には、側壁２の各部位の中でも底壁１からの高さが最も高くなるツノ部３３が設けられている。これらのツノ部３３によって、フィルム包装材を所定の高さに保持することが可能になり、容器の内容物（食品）がフィルム包装材に直接接触するのを回避できる。【選択図】図１
0003231626.tif 000002
【実用新案登録請求の範囲】
【請求項１】
紙製シートを容器形状に形成してなる食品用容器であって、
底壁（１）と、前記底壁の周縁から起立した側壁（２）とを備え、
前記側壁（２）の少なくとも一部には、複数のヒダ部（３２）が形成され、
前記複数のヒダ部（３２）の各々には、前記側壁の各部位の中でも前記底壁からの高さが最も高くなるツノ部（３３）が設けられている、
ことを特徴とする食品用容器。
【請求項２】
前記側壁（２）には、前記複数のヒダ部の他に、隣り合うヒダ部（３２）の間において複数の非ヒダ部（２１，２２，２３，２４）が形成され、前記複数の非ヒダ部における前記底壁からの高さ（ｈ１）は一定であり、
前記複数のヒダ部（３２）の各々において、当該ヒダ部の両端位置での高さが前記非ヒダ部の高さ（ｈ１）に一致し、且つ、当該ヒダ部の両端間の中間位置に前記ツノ部（３３）が設けられ、当該ツノ部において前記底壁からの高さ（ｈ２）が最も高くなっている、ことを特徴とする請求項１に記載の食品用容器。
【請求項３】
前記側壁（２）には、その全体に対して前記複数のヒダ部（３２）が形成されており、
前記複数のヒダ部（３２）の各々において、一つのヒダ部の両端位置での高さが当該ヒダ部に隣接する別のヒダ部の両端位置での高さ（ｈ１）に一致し、且つ、当該ヒダ部の両端間の中間位置に前記ツノ部（３３）が設けられ、当該ツノ部において前記底壁からの高さ（ｈ２）が最も高くなっている、ことを特徴とする請求項１に記載の食品用容器。
【考案の詳細な説明】
【技術分野】
【０００１】
本考案は、食品用容器に関し、特に、パンや菓子の類を焼いたり盛り付けたりする際に使用する食品用容器に関するものである。
【背景技術】
【０００２】
紙製シートを容器形状に形成してなる食品用容器が知られている。例えば特許文献１の食品用容器は、その容器本体（１１）が、円形の底壁（１２）と、その底壁の周縁から斜め上方に延びる側壁（１３）とからなる円形カップ状に形成されており、側壁（１３）には高さ方向に延びるヒダ（１４）が多数形成されている（特許文献１の要約参照）。この食品用容器を例えば菓子用の容器として使用する場合には、菓子生地を容器本体内に所定量注入し、オーブンレンジ等で加熱して焼き上げることで、容器本体と焼き菓子とが一体化した菓子製品を得ることができる（特許文献１の段落００１３参照）。
【先行技術文献】
【特許文献】
【０００３】
【特許文献１】特開２０００−２８１０４２号公報（要約、段落００１３）
【考案の概要】
【考案が解決しようとする課題】
【０００４】
容器本体と焼き菓子とが一体化した菓子製品については、そのまま（無包装のまま）の形態でショーケース等に陳列されて店頭販売されることもあるが、内部を透視可能なフィルム包装材（例えば無色透明なラッピングフィルム）で個別包装した上で流通又は店頭販売されることも多い。
【０００５】
しかし、従来の食品用容器では容器本体の側壁の高さが一様に揃っていること、及び、容器内に収められた菓子の表面（上面）は一般に容器本体の側壁の上縁よりも盛り上がっていることのために、かかる菓子製品にフィルム包装を施したとき、菓子の表面（上面）がフィルム包装材に接触する事態が避けられない。そのような場合、菓子からしみ出した水分や油脂分がフィルム包装材の内面（裏面）に付着して、フィルム包装材の曇りや汚れの原因となることがある（つまり包装外観が悪化する）。また、表面（上面）に可食性の意匠（模様や図柄など）を施した菓子である場合には、これがフィルム包装材と直接接触することで菓子表面の意匠が乱されるおそれがある。その他にも、容器内に収められた菓子とフィルム包装材との接触が好ましくない種々の事情がある。
【０００６】
本考案の目的は、フィルム包装等を施した場合でも、容器の内容物（つまり食品）がフィルム包装材に直接接触するのを回避可能な食品用容器を提供することにある。
【課題を解決するための手段】
【０００７】
請求項１の考案は、紙製シートを容器形状に形成してなる食品用容器であって、
底壁と、前記底壁の周縁から起立した側壁とを備え、
前記側壁の少なくとも一部には、複数のヒダ部が形成され、
前記複数のヒダ部の各々には、前記側壁の各部位の中でも前記底壁からの高さが最も高くなるツノ部が設けられていることを特徴とする食品用容器である。
【０００８】
請求項２の考案は、請求項１に記載の食品用容器において、
前記側壁には、前記複数のヒダ部の他に、隣り合うヒダ部の間において複数の非ヒダ部が形成され、前記複数の非ヒダ部における前記底壁からの高さ（ｈ１）は一定であり、
前記複数のヒダ部の各々において、当該ヒダ部の両端位置での高さが前記非ヒダ部の高さ（ｈ１）に一致し、且つ、当該ヒダ部の両端間の中間位置に前記ツノ部が設けられ、当該ツノ部において前記底壁からの高さ（ｈ２）が最も高くなっていることを特徴とする。
【０００９】
請求項３の考案は、請求項１に記載の食品用容器において、
前記側壁には、その全体に対して前記複数のヒダ部が形成されており、
前記複数のヒダ部の各々において、一つのヒダ部の両端位置での高さが当該ヒダ部に隣接する別のヒダ部の両端位置での高さ（ｈ１）に一致し、且つ、当該ヒダ部の両端間の中間位置に前記ツノ部が設けられ、当該ツノ部において前記底壁からの高さ（ｈ２）が最も高くなっていることを特徴とする。
【考案の効果】
【００１０】
本考案の食品用容器によれば、側壁の少なくとも一部に形成された複数のヒダ部の各々には、側壁の各部位の中でも底壁からの高さが最も高くなるツノ部が設けられている。このため、各ヒダ部のツノ部によってフィルム包装材を支持することで、当該フィルム包装材をツノ部以外の側壁の各部位よりも高く持ち上げておくことができ、従って容器の内容物（食品）がフィルム包装材に直接接触するのを回避することが可能になる。
【図面の簡単な説明】
【００１１】
【図１】本考案の一実施形態に従う食品用容器の斜視図。
【図２】図１の食品用容器の元となる紙製シート材の展開図。
【図３】図１の食品用容器を示し、（Ａ）は平面図、（Ｂ）は正面図、（Ｃ）は右（又は左）の側面図。
【図４】図４（Ａ）は図３（Ａ）のＡ−Ａ線断面における容器使用時の概要を示す概略図、図４（Ｂ）は図３（Ａ）のＢ−Ｂ線断面における容器使用時の概要を示す概略図。
【図５】本考案に従う食品用容器の変更例（その１）の平面図。
【図６】本考案に従う食品用容器の変更例（その２）の平面図。
【図７】本考案に従う食品用容器の変更例（その３）の平面図。
【考案を実施するための形態】
【００１２】
以下、本考案の一実施形態に従う食品用容器について図面（図１〜図４）を参照しつつ説明する。
【００１３】
図１に示すように、食品用容器Ｃ１は、底壁１及び側壁２を備え、且つ側壁２にはヒダ部３２が設けられた容器形状に形成されている。このような食品用容器Ｃ１は、図２に示すような紙製シート材ＰＳを、概ね放射状に配された山折り線（図２に破線で示す）及び谷折り線（図２に一点鎖線で示す）などの折り線に沿って型成形（例えばプレス機で加工）することで、一体物として得ることができる。
【００１４】
図３（Ａ），（Ｂ）及び（Ｃ）に示すように、食品用容器Ｃ１の底壁１は、略長方形状をなしている。そして、略長方形状の底壁１の長辺及び短辺に対応する底壁１の各辺縁からは、少なくとも四つの側壁部（２１，２２）が斜め上方に起立するように設けられている。即ち、食品用容器Ｃ１の側壁２は、底壁１の二つの長辺に対応する二つの長辺側壁部２１と、底壁１の二つの短辺に対応する二つの短辺側壁部２２とを有している。長辺側壁部２１も短辺側壁部２２も共に、ストレートに延びる壁部（つまり、ヒダを持たない「非ヒダ部」）として形成されている。また、長辺側壁部２１も短辺側壁部２２も、底壁１からの高さは一様に等しく高さｈ１に設定されている。この高さｈ１は、例えば２０〜４０ｍｍに設定される。
【００１５】
食品用容器Ｃ１の側壁２には更に、隣り合う長辺側壁部２１と短辺側壁部２２との間において合計４つのコーナー側壁部３１が設けられ、且つ、四つのコーナー側壁部３１の各々がヒダ部３２として構成されている。ヒダ部３２は、図２の山折り線及び谷折り線での折り加工を反映して形成される一群の縦ヒダからなる部位である。従って、本実施形態の食品用容器Ｃ１における側壁２は、相対向する二つの長辺側壁部２１と、相対向する二つの短辺側壁部２２と、四つのコーナー側壁部３１とからなると共に、四つのコーナー側壁部３１がヒダ部３２として構成される一方で、計四つの長辺側壁部２１及び短辺側壁部２２が非ヒダ部として構成されている。
【００１６】
図１及び図３に示すように、ヒダ部３２の各々は、その中心に位置するツノ部３３を対象性基準として左右対象な形状に作られている。そして、各ヒダ部３２は、それぞれの両端位置（３２ａ，３２ｂ）において、長辺側壁部２１及び短辺側壁部２２と連なっており、各ヒダ部の両端位置（３２ａ，３２ｂ）における高さ（底壁１からの高さｈ１）は、長辺側壁部及び短辺側壁部の高さ（ｈ１）に一致している。これに対し、各ヒダ部３２の中心に位置するツノ部３３の高さ（底壁１からの高さｈ２）は、側壁２の各部位の中でも最も高く設定されている。つまり、ツノ部３３の高さ（ｈ２）は、長辺側壁部２１及び短辺側壁部２２の高さ（ｈ１）並びにヒダ部３２の両端位置（３２ａ，３２ｂ）における高さ（ｈ１）よりも高くなっている。なお、ツノ部３３の高さｈ２は、例えば５０〜７０ｍｍに設定される。つまり、ｈ１＜ｈ２である。
【００１７】
図４（Ａ）及び（Ｂ）は、本考案の食品用容器にフィルム包装を施して包装付き食品（市販用の製品形態）とした状態を示す。即ち図４において、食品用容器Ｃ１を包囲するように描かれた太い実線はフィルム包装材４を示す。また、食品用容器内に描かれた破線のハッチングは、容器の内容物５（つまり菓子やパン等の食品５）を示し、当該ハッチングの上縁の破線は、内容物たる食品５の上面５ａを示す。図４からわかるように、フィルム包装材４（特に容器の上側を覆う部分）は、四つのツノ部３３によって高い位置（即ち底壁１から高さｈ２の位置）に保持される。他方で、食品用容器Ｃ１は、ツノ部３３の高さ（ｈ２）よりも低い高さ（ｈ１）の側壁部（２１，２２）を有するため、例えば図４に示すように、内容物たる食品の上面５ａの高さｈ３を、側壁部の高さｈ１とフィルム包装材４の高さｈ２との間の高さにとどめることができる（つまり、ｈ１＜ｈ３＜ｈ２）。それ故、本考案の食品用容器によれば、容器Ｃ１の内容物たる食品の上面５ａが、ツノ部３３に保持されたフィルム包装材４の下面に直接接触するのを回避することができる。
【００１８】
なお、本考案の食品用容器では、ツノ部３３がヒダ部３２に設けられているので（つまり、ツノ部３３自体が波型に折られたヒダによって構成されているので）、四つあるツノ部３３のいずれもが十分な剛性を有しており、フィルム包装材４の荷重（重さ）に屈することなくフィルム包装材４を所定の高さに保持し続けることができる。
【００１９】
［変更例］本考案は、以下のような形態で実施することもできる。
上記実施形態では底壁１の形状を略長方形状としたが、図５に示すように、底壁１の形状を略正方形状としてもよい。図５の変更例にあっては、食品用容器Ｃ２を構成する側壁２は、底壁１の四辺に対応する四つのストレートな側壁部（非ヒダ部）２３と、四つのコーナー側壁部３１とからなる。ストレート側壁部（非ヒダ部）２３の高さはｈ１であり、四つのコーナー側壁部３１の各々は、中心に高さｈ２のツノ部３３を有するヒダ部３２で構成されている（ｈ１＜ｈ２）。従って図５の食品用容器Ｃ２は、合計四つのツノ部３３を容器の四隅に有してなるものである。
【００２０】
図６に示すように、底壁１の形状を小判型形状（又は長円形状）としてもよい。図６の変更例にあっては、食品用容器Ｃ３を構成する側壁２は、底壁１の二つの長辺に対応する二つのストレートな長辺側壁部（非ヒダ部）２４と、底壁１の二つの円弧辺に対応する二つの円弧状に湾曲した円弧状側壁部２５とからなる。ストレートな長辺側壁部（非ヒダ部）２４の高さはｈ１であり、二つの円弧状側壁部２５の各々は、中心に高さｈ２のツノ部３３を有するヒダ部３２で構成されている（ｈ１＜ｈ２）。従って図６の食品用容器Ｃ３は、合計二つのツノ部３３を容器の両端部に有してなるものである。
【００２１】
図７に示すように、底壁１の形状を円形状としてもよい。図７の変更例にあっては、食品用容器Ｃ４を構成する側壁２は、底壁１の丸い円周辺に沿って丸く閉じた単一の側壁２として構成されている。但し、単一の側壁２は、その全体を等角度間隔（つまり９０°間隔）で四つの部位（円弧状に湾曲した部位）に分割することができ、これら四つの部位の各々は、互いに等価なヒダ部３２で構成されている。つまり、単一の側壁２にはその全体にわたって四つのヒダ部３２が形成されている。そして、それぞれのヒダ部３２は、その中心位置において高さｈ２のツノ部３３を有し、且つ、それぞれのヒダ部３２は、その両端位置（３２ａ，ｂ）において隣のヒダ部３２と連なっており、各ヒダ部３２の両端位置（つまり二つのヒダ部の境界）の高さはｈ１となっている（ｈ１＜ｈ２）。従って図７の食品用容器Ｃ４は、丸く閉じた単一の側壁２の上に等角度間隔で配置された計四つのツノ部３３を有してなるものであり、その単一の側壁２は非ヒダ部（即ちストレートな側壁部の類）を全く持たない。
【００２２】
図５，図６及び図７に示すような食品用容器（Ｃ２，Ｃ３，Ｃ４）も、図１〜図４に示すような食品用容器Ｃ１と同様の作用効果を奏し得る。
【００２３】
本考案においては、ツノ部３３の数は２つ以上の複数であれば幾つでもよい。
【符号の説明】
【００２４】
Ｃ１，Ｃ２，Ｃ３，Ｃ４  食品用容器
１  底壁
２  側壁
２１  長辺側壁部（非ヒダ部）
２２  短辺側壁部（非ヒダ部）
２３  ストレートな側壁部（非ヒダ部）
２４  ストレートな長辺側壁部（非ヒダ部）
２５  円弧状側壁部
３１  コーナー側壁部
３２  ヒダ部
３２ａ，３２ｂ  ヒダ部の両端位置
３３  ツノ部
４  フィルム包装材
５  食品
５ａ  食品の上面
【図１】
0003231626.tif 000003
【図２】
0003231626.tif 000004
【図３】
0003231626.tif 000005
【図４】
0003231626.tif 000006
【図５】
0003231626.tif 000007
【図６】
0003231626.tif 000008
【図７】
0003231626.tif 000009